【手続補正書】
【提出日】平成17年8月29日(2005.8.29)
【手続補正１】
【補正対象書類名】明細書
【補正対象項目名】特許請求の範囲
【補正方法】変更
【補正の内容】
【特許請求の範囲】
【請求項１】  ポリマー又はポリマー組成物を含んでなる実質的に非ポリエステル、実質的に非ポリアミドの医用デバイスであって、前記ポリマー又はポリマー組成物のガラス転移温度が、約２０℃〜１００℃の範囲である、医用デバイス。
【請求項２】  前記ポリマー又はポリマー組成物が、約２０℃〜６５℃の範囲のガラス転移温度を有する、請求項１に記載の実質的に非ポリエステル、実質的に非ポリアミドの医用デバイス。
【請求項３】  前記医用デバイスが、最小限の浸潤性である、請求項１に記載の医用デバイス。
【請求項４】  前記医用デバイスが、腔内管状部材を含む、請求項３に記載の医用デバイス。
【請求項５】  前記医用デバイスが、腔内バルーンを含む、請求項４に記載の医用デバイス。
【請求項６】  前記ポリマー又はポリマー組成物が、脂肪族ポリケトンを含む、請求項１に記載の医用デバイス。
【請求項７】  ポリマー又はポリマー組成物を含んでなる実質的に非ポリエステル、実質的に非ポリアミドの医用デバイスであって、前記ポリマー又はポリマー組成物が、約１００〜約１０００パーセントの範囲のバルク伸び、及び、約３４MPa〜約８３MPa(約５〜約１２kpsi)の範囲のバルク引張強さを有する医用デバイス。
【請求項８】  前記ポリマー又はポリマー組成物が、約２００〜約６００パーセントの範囲のバルク伸び、及び、約４８MPa〜約６９MPa(約７〜約１０kpsi)の範囲のバルク引張強さを有する、請求項７に記載の実質的に非ポリエステル、実質的に非ポリアミドの医用デバイス。
【請求項９】  ポリマー又はポリマー組成物を含んでなる実質的に非ポリエステル、実質的に非ポリアミドの医用デバイスであって、前記ポリマー又はポリマー組成物が、約１００〜約１０００パーセントの範囲のバルク伸びを有し、かつ、前記実質的に非ポリエステル、実質的に非ポリアミドの医用デバイスの軸方向引張強さが、約７０MPa〜約２８０MPa(約１０〜約４０kpsi)の範囲である、医用デバイス。
【請求項１０】  前記ポリマー又はポリマー組成物が、約２００〜約６００パーセントの範囲のバルク伸びを有し、かつ、前記実質的に非ポリエステル、実質的に非ポリアミドの医用デバイスの軸方向引張強さが、約１００MPa〜約２００MPa(約１５〜約３０kpsi)の範囲である、請求項９に記載の実質的に非ポリエステル、実質的に非ポリアミドの医用デバイス。
【請求項１１】  ポリマー又はポリマー組成物を含んでなる実質的に非ポリエステル、実質的に非ポリアミドの医用デバイスであって、前記ポリマー又はポリマー組成物が、約１００〜約１０００パーセントの範囲のバルク伸びを有し、かつ、前記実質的に非ポリエステル、実質的に非ポリアミドの医用デバイスの接線方向引張強さが、約７０MPa〜約２８０MPa(約１０〜約４０kpsi)の範囲である、医用デバイス。
【請求項１２】  前記ポリマー又はポリマー組成物が、約２００〜約６００パーセントの範囲のバルク伸びを有し、かつ、前記実質的に非ポリエステル、実質的に非ポリアミドの医用デバイスの接線方向引張強さが、約１００MPa〜約２００MPa(約１５〜約３０kpsi)の範囲である、請求項１１に記載の実質的に非ポリエステル、実質的に非ポリアミドの医用デバイス。
【請求項１３】  ポリマー又はポリマー組成物を含んでなる実質的に非ポリエステル、実質的に非ポリアミドの腔内バルーンであって、この腔内バルーンが、約0.30〜約1.60の範囲の増大百分率／気圧を有する腔内バルーン。
【請求項１４】  前記腔内バルーンが、約0.5〜約1.35の範囲の増大百分率／気圧を有する、請求項１３に記載の実質的に非ポリエステル、実質的に非ポリアミドの腔内バルーン。
【請求項１５】  前記腔内バルーンが、脂肪族ポリケトンを含む、請求項１３に記載の実質的に非ポリエステル、実質的に非ポリアミドの腔内バルーン。
【請求項１６】  ポリマー又はポリマー組成物を含んでなる医用デバイスであって、前記ポリマー又はポリマー組成物が、約５００％〜約１２００％の範囲のバルク伸び、及び約２０℃〜約１００℃の範囲のガラス転移温度を有する、医用デバイス。
【請求項１７】  前記ポリマー又はポリマー組成物が、約５００％〜約８００％の範囲のバルク伸び、及び約２０℃〜約６５℃の範囲のガラス転移温度を有する、請求項１６に記載の医用デバイス。
【請求項１８】  ポリマー又はポリマー組成物を含んでなる医用デバイスであって、以下の工程：
脂肪族ポリケトンポリマーを提供する工程；
前記脂肪族ポリケトンポリマーを、前記ポリマー又はポリマー組成物に配合する工程；及び
前記ポリマー又はポリマー組成物を前記医用デバイスに配合する工程；
を含む方法によって製造される、医用デバイス。
【請求項１９】  脂肪族ポリケトンを含有する組成物を含む医用デバイスの製造方法であって、以下の工程：
脂肪族ポリケトンを含有する前記組成物を、電子ビーム照射、熱又は紫外線によって架橋する工程
を含む方法。
【請求項２０】  脂肪族ポリケトンを含む医用デバイス。
【請求項２１】  前記医用デバイスが、最小限の浸潤性である、請求項２０に記載の医用デバイス。
【請求項２２】  前記医用デバイスが、腔内管状部材を含む、請求項２１に記載の医用デバイス。
【請求項２３】  前記医用デバイスが、腔内バルーンを含む、請求項２２に記載の医用デバイス。
【請求項２４】  少なくとも１の脂肪族ポリケトン及び少なくとも１の可塑剤を含む組成物。
【請求項２５】  前記可塑剤が、芳香族スルホンアミド、芳香族ホスフェートエステル、アルキルホスフェートエステル、アルキルエステル、クエン酸エステル、ブチルベンゾスルホンアミド、アセテート、アジペート、アミド、アゼレート、エポキシド、グルタレート、Ｎ,Ｎ-ジメチルカプリルアミドカプラミド、Ｎ,Ｎ-ジメチルオレアミド、エポキシ化グリコールジオレエート、又はそれらの類似体若しくは誘導体若しくは混合物を含む、請求項２４に記載の組成物。
【請求項２６】  可塑剤、添加剤及び他の材料の総量が、組成物の総質量に対して約２０質量パーセント未満である、請求項２４に記載の組成物。
【請求項２７】  少なくとも１種の脂肪族ポリケトンポリマー又は少なくとも１種の脂肪族ポリケトンの組成物、及び少なくとも１種の可塑剤を含む医用デバイス。
【請求項２８】  前記可塑剤が、芳香族スルホンアミド、芳香族ホスフェートエステル、アルキルホスフェートエステル、アルキルエステル、クエン酸エステル、ブチルベンゾスルホンアミド、アセテート、アジペート、アミド、アゼレート、エポキシド、グルタレート、Ｎ,Ｎ-ジメチルカプリルアミドカプラミド、Ｎ,Ｎ-ジメチルオレアミド、エポキシ化グリコールジオレエート、又はそれらの類似体若しくは誘導体若しくは混合物を含む請求項２７に記載の医用デバイス。
【請求項２９】  可塑剤、添加剤及び他の材料の総量が、組成物の総質量に対して約２０質量パーセント未満である、請求項２７に記載の医用デバイス。
【請求項３０】  前記可塑剤が、芳香族スルホンアミド、芳香族ホスフェートエステル、アルキルホスフェートエステル、アルキルエステル、クエン酸エステル、ブチルベンゾスルホンアミド、アセテート、アジペート、アミド、アゼレート、エポキシド、グルタレート、Ｎ,Ｎ-ジメチルカプリルアミドカプラミド、Ｎ,Ｎ-ジメチルオレアミド、エポキシ化グリコールジオレエート、又はそれらの類似体若しくは誘導体若しくは混合物を含む請求項２７に記載の医用デバイス。
【請求項３１】  前記可塑剤が、芳香族スルホンアミド、芳香族ホスフェートエステル、アルキルホスフェートエステル、アルキルエステル、クエン酸エステル、ブチルベンゾスルホンアミド、アセテート、アジペート、アミド、アゼレート、エポキシド、グルタレート、Ｎ,Ｎ-ジメチルカプリルアミドカプラミド、Ｎ,Ｎ-ジメチルオレアミド、エポキシ化グリコールジオレエート、又はそれらの類似体若しくは誘導体若しくは混合物を含む請求項３０に記載の医用デバイス。
【請求項３２】  前記可塑剤が、芳香族スルホンアミド、芳香族ホスフェートエステル、アルキルホスフェートエステル、アルキルエステル、クエン酸エステル、ブチルベンゾスルホンアミド、アセテート、アジペート、アミド、アゼレート、エポキシド、グルタレート、Ｎ,Ｎ-ジメチルカプリルアミドカプラミド、Ｎ,Ｎ-ジメチルオレアミド、エポキシ化グリコールジオレエート、又はそれらの類似体若しくは誘導体若しくは混合物を含む請求項２７に記載の医用デバイス。
【請求項３３】  前記医用デバイスが、複数のバルーンを含む請求項２７に記載の医用デバイス。
【請求項３４】  前記バルーンの壁材が、二軸延伸されている、請求項３３に記載の医用デバイス。
【請求項３５】  前記バルーンの壁材が、穿孔性又は十分に多孔性であって、この壁材を通して薬物送達を可能にする、請求項３３に記載の医用デバイス。
【請求項３６】  脂肪族ポリケトン及び熱可塑性ポリマーを含む組成物を含む医用デバイス。
【請求項３７】  前記組成物が、該組成物の総質量に対して、約５〜約９５質量パーセントの量の脂肪族ポリケトンを含む、請求項３６に記載の医用デバイス。
【請求項３８】  前記組成物が、該組成物の総質量に対して、約５〜約９５質量パーセントの量の熱可塑性ポリマーを含む、請求項３６に記載の医用デバイス。
【請求項３９】  前記熱可塑性ポリマーが、ポリアミド、ポリエステル、ポリエーテル−ブロックアミド、ポリウレタン、ポリエチレン、ポリアセタール、ポリアクリロニトリル、又はポリフッ化ビニリデンである、請求項３６に記載の医用デバイス。
【請求項４０】  前記組成物が、さらに、カップリング剤、可塑剤、又は架橋剤を含む、請求項３６に記載の医用デバイス。
【請求項４１】  前記カップリング剤が、ジルコニウム又はチタニウムカップリング剤、又はエポキシ変性ポリオレフィンである、請求項４０に記載の医用デバイス。
【請求項４２】  前記可塑剤が、芳香族スルホンアミド、芳香族ホスフェートエステル、アルキルホスフェートエステル、アルキルエステル、クエン酸エステル、ブチルベンゾスルホンアミド、アセテート、アジペート、アミド、アゼレート、エポキシド、グルタレート、Ｎ,Ｎ-ジメチルカプリルアミドカプラミド、Ｎ,Ｎ-ジメチルオレアミド、エポキシ化グリコールジオレエート、又はそれらの類似体若しくは誘導体若しくは混合物である請求項４０に記載の医用デバイス。
【請求項４３】  前記架橋剤が、エチレングリコールジメタクレート、トリアリルイソシアヌレート、トリアリルシアヌレート、又はトリアリル1,3,5-トリアジン-2,4,6(1H,3H,5H)-トリオンである、請求項４０に記載の医用デバイス。